(57)【要約】      （修正有）【課題】レベル調整ボルトの損傷を防止可能な機械装置のレベル調整装置、製作費を低減可能な機械装置のレベル調整装置を提供する。【解決手段】アンカープレート１１に機械装置を据え付ける際にレベルを調整する機械装置のレベル調整装置において、アンカープレート１１上に鉛直姿勢に配設されたレベル調整ボルト１２と、レベル調整ボルト１２の下端部をアンカープレート１１に回転不能に固定する固定機構１３とを有し、固定機構１３は、レベル調整ボルト１２の下端部が螺合されたネジ穴を有する受座部材２０であってレベル調整後にアンカープレート１１の上面に溶接にて固定される受座部材２０と、この受座部材２０とレベル調整ボルト１２の下端部に嵌入された水平なピン部材２２と、レベル調整ボルト１２の下端側部分に螺合されてレベル調整ボルト１２を受座部材２０にロックする第１のロックナット２３とを有する。【選択図】図３
0003217468.tif 000002
【実用新案登録請求の範囲】
【請求項１】
アンカープレートに対して機械装置のレベルを調整して固定する機械装置のレベル調整装置において、
前記アンカープレート上に鉛直姿勢に配設されたレベル調整ボルトと、
前記レベル調整ボルトの下端部を前記アンカープレートに回転不能に固定する固定機構とを有し、
前記固定機構は、前記レベル調整ボルトの下端部が螺合されたネジ穴を有する受座部材であってレベル調整後に前記アンカープレートの上面に溶接にて固定される受座部材と、この受座部材と前記レベル調整ボルトの下端部に嵌入された水平なピン部材と、前記レベル調整ボルトの下端側部分に螺合されて前記レベル調整ボルトを前記受座部材にロックする第１のロックナットとを有することを特徴とする機械装置のレベル調整装置。
【請求項２】
前記レベル調整ボルトが挿通する挿通孔が形成された水平壁部を有し且つ前記機械装置に溶接にて固定された第１の連結金具と、
前記レベル調整ボルトに螺合されて水平壁部を下方から支持する第１のナット部材と、
前記レベル調整ボルトに螺合されて水平壁部に対して前記レベル調整ボルトを上面側からロックする第２のロックナットと、
を備えたことを特徴とする請求項１に記載の機械装置のレベル調整装置。
【請求項３】
前記レベル調整ボルトが挿通螺合するボルト孔が形成された水平壁部を有し且つ前記機械装置に溶接にて固定された第２の連結金具と、
前記レベル調整ボルトに螺合されて水平壁部に対して前記レベル調整ボルトを上面側からロックする第３のロックナットと、
を備えたことを特徴とする請求項１に記載の機械装置のレベル調整装置。
【請求項４】
前記レベル調整ボルトを下方から螺合した袋状ボルト穴が形成され且つ前記機械装置に固定された第３の連結金具と、
前記レベル調整ボルトに螺合されて前記連結金具に対して前記レベル調整ボルトを下面側からロックする第４のロックナットと、
を備えたことを特徴とする請求項１に記載の機械装置のレベル調整装置。
【請求項５】
前記レベル調整ボルトは耐荷重に優れた鋼で構成され、前記受座部材は溶接性に優れた鋼で構成されたことを特徴とする請求項１〜４の何れか１項に記載の機械装置のレベル調整装置。
【請求項６】
前記受座部材は、前記レベル調整ボルト用標準的六角ナットよりも広い座面を有する部材で構成されたことを特徴とする請求項１〜５の何れか１項に記載の機械装置のレベル調整装置。
【考案の詳細な説明】
【技術分野】
【０００１】
本考案は、機械装置のレベル調整装置に関するものである。
【背景技術】
【０００２】
本願出願人が採用していた機械装置のレベル調整装置１００は、図７、図８に示すように、アンカープレート１０１上に機械装置１０２を据え付ける際に機械装置１０２のレベルを調整するものである。このレベル調整装置１００は、機械装置１０２の下端部の側壁に溶接にて固定されたレベル調整用の水平プレート１０３と、この水平プレート１０３のネジ孔１０３ａに立て向きに螺合されたレベル調整ボルト１０４と、水平プレート１０３に対してレベル調整ボルト１０４をロックするロックナット１０５と、アンカープレート１０１上に載置されてレベル調整ボルト１０４の下端を受け止める受け治具１０６とを有する。
【０００３】
機械装置１０２のレベルを調整する場合、ロックナット１０５を緩めてから、レベル調整ボルト１０４を時計回り方向又は反時計回り方向へ回動させて機械装置１０２のレベルを調整し、その後ロックナット１０５によりロックする。
レベル調整ボルト１０４と受け治具１０６は溶接されず、受け治具１０６とアンカープレート１０１は溶接されないため、レベル調整ボルト１０４を介して機械装置をアンカープレート１０１に強固に連結することができない。
そこで、機械装置１０２のレベルを調整後に鉛直姿勢の複数の固定プレート１０７を機械装置１０２の側壁とアンカープレート１０１とに溶接して固定状態にする。
【０００４】
本願出願人が採用していた別の機械装置のレベル調整装置２００は、図９と図１０に示すように、アンカープレート２０１に対する機械装置２０２のレベルを調整して固定するものである。機械装置２０２の下端部に溶接にて固定されたレベル調整用の水平プレート２０３と、この水平プレート２０３のネジ孔２０３ａに立て向きに螺合され且つ下端部がアンカープレート２０１に当接されたレベル調整ボルト２０４と、このレベル調整ボルト２０４の両側において水平プレート２０３の挿通孔（バカ穴）に夫々挿通された鉛直の１対の固定ボルト２０５と、これら固定ボルト２０５に螺合された１対のロックナット２０６と、レベル調整後にアンカープレート２０１と水平プレート２０３間に挿入してそれらプレート間の隙間を埋めるスペーサ２０７とを有する。
【０００５】
前記固定ボルト２０５の下端部は、アンカープレート２０１に螺合にて固着されている。尚、アンカープレート２０１は床面Ｇの上面に配置され、１対のアンカーボルト２０１ａにより床に固定されている。
【０００６】
上記のレベル調整装置２００でレベル調整する場合、ロックナット２０６を緩めてから、レベル調整ボルト２０４により機械装置２０２のレベルを調整し、次にアンカープレート  ２０１と水平プレート２０３の間の隙間を埋めるスペーサ２０７を挿入し、次にロックナット２０６を締結して固定状態にする。尚、特許文献１，２にも、機械装置のレベルを調整可能な機械装置のレベル調整装置が記載されている。
【先行技術文献】
【特許文献】
【０００７】
【特許文献１】特開２００４−３４５００５号公報
【特許文献２】特開２００６−２６４８０３号公報
【考案の概要】
【考案が解決しようとする課題】
【０００８】
レベル調整装置１００においては、水平プレート１０３は厚板にて製作され、水平プレート１０３にネジ孔１０３ａを形成するため、水平プレート１０３の製作費が高価になるうえ、その溶接等の組み付け作業に時間がかかる。レベル調整後に複数の固定プレート１０７を機械装置とアンカープレートに溶接する必要があるため、製作費が高価になる。
【０００９】
前記のレベル調整装置２００においては、アンカープレート２０１と水平プレート２０３間の隙間は、複数のレベル調整装置２００において同じになるとは限らず、レベル調整装置２００毎に異なるため、厚さの異なる複数種類のスペーサ２０７を準備して装着しなければならないので、製作費の増加要因となる。しかも、ボルトを含む部材数が多く、ボルト孔も多いため製作費が高価になる。
【００１０】
本考案の目的は、簡単な構造で製作費を低減可能な機械装置のレベル調整装置を提供することである。
【課題を解決するための手段】
【００１１】
請求項１の機械装置のレベル調整装置は、アンカープレートに対して機械装置のレベルを調整して固定する機械装置のレベル調整装置において、前記アンカープレート上に鉛直姿勢に配設されたレベル調整ボルトと、前記レベル調整ボルトの下端部を前記アンカープレートに回転不能に固着する固定機構とを有し、前記固定機構は、前記アンカープレートの上面に溶接にて固定され且つ前記レベル調整ボルトの下端部が螺合されたネジ穴を有する受座部材と、この受座部材と前記レベル調整ボルトの下端部に嵌入された水平なピン部材と、前記レベル調整ボルトの下端側部分に螺合されて前記レベル調整ボルトを前記受座部材にロックする第１のロックナットとを有することを特徴としている。
【００１２】
上記の構成によれば、レベル調整ボルトをアンカープレートに溶接できない場合であっても、受座部材をアンカープレートに溶接する構造とすることで、受座部材とピン部材と第１のロックナットとを有する簡単な構造で安価に製作可能な固定機構とレベル調整ボルトを介して機械装置をアンカープレートに強固に固着することができる。
【００１３】
請求項２の機械装置のレベル調整装置は、請求項１の発明において、前記レベル調整ボルトが挿通する挿通孔が形成された水平壁部を有し且つ前記機械装置に溶接にて固定された第１の連結金具と、前記レベル調整ボルトに螺合されて水平壁部を下方から支持する第１のナット部材と、前記レベル調整ボルトに螺合されて水平壁部に対して前記レベル調整ボルトを上面側からロックする第２のロックナットとを備えたことを特徴としている。
【００１４】
上記の構成によれば、第１の連結金具には、レベル調整ボルトを螺合させるネジ孔ではなくレベル調整ボルトが挿通する挿通孔を形成すればよいため、第１の連結金具の製作費を低減し、レベル調整装置の製作費を低減することができる。
【００１５】
請求項３の機械装置のレベル調整装置は、請求項１の発明において、前記レベル調整ボルトが挿通螺合するボルト孔が形成された水平壁部を有し且つ前記機械装置に溶接にて固定された第２の連結金具と、前記レベル調整ボルトに螺合されて水平壁部に対して前記レベル調整ボルトを上面側からロックする第３のロックナットとを備えたことを特徴としている。上記の構成によれば、水平壁部にボルト孔を形成するため、水平壁部の下側のロックナットを省略できる。
【００１６】
請求項４の機械装置のレベル調整装置は、請求項１の発明において、前記レベル調整ボルトを下方から螺合した袋状ボルト穴が形成され且つ前記機械装置に固定された第３の連結金具と、前記レベル調整ボルトに螺合されて前記連結金具に対して前記レベル調整ボルトを下面側からロックする第４のロックナットとを備えたことを特徴としている。
上記の構成によれば、レベル調整ボルトが袋状ボルト孔に螺合されて第３の連結金具の上方へ突出しないため、レベル調整ボルトが損傷する虞がない。
【００１７】
請求項５の機械装置のレベル調整装置は、請求項１〜４の何れか１項の発明において、
前記レベル調整ボルトは耐荷重に優れた鋼で構成され、前記受座部材は溶接性に優れた鋼で構成されたことを特徴としている。
上記の構成によれば、レベル調整ボルトの強度と、受座部材のアンカープレートへの溶接性を両立させることができる。
請求項６の機械装置のレベル調整装置は、請求項１〜５の何れか１項の発明において、
前記受座部材は、前記レベル調整ボルト用の六角ナットよりも広い座面を有する部材で構成されたことを特徴としている。
上記の構成によれば、レベル調整ボルトを回動操作する際に小さな操作力で操作可能になる。尚、受座部材は、ピンスパナで回動可能な部材又は二面幅を有する部材で構成してもよい。
【考案の効果】
【００１８】
本考案によれば、以上説明したような優れた作用効果が得られる。
【図面の簡単な説明】
【００１９】
【図１】本考案の実施例１の機械装置とそのレベル調整装置の斜視図である。
【図２】前記の機械装置とそのレベル調整装置の側面図である。
【図３】前記レベル調整装置の拡大側面図である。
【図４】前記レベル調整装置の固定機構の断面図である。
【図５】実施例２のレベル調整装置の断面図である。
【図６】実施例３のレベル調整装置の断面図である。
【図７】従来の機械装置のレベル調整装置の斜視図である。
【図８】図７のレベル調整装置の拡大斜視図である。
【図９】従来の別の機械装置のレベル調整装置の斜視図である。
【図１０】図９のレベル調整装置の断面図である。
【考案を実施するための形態】
【００２０】
次に、本考案に係る機械装置のレベル調整装置を実施するための形態について、実施例に基づいて説明する。
【実施例１】
【００２１】
実施例１の機械装置のレベル調整装置１０について、図１〜図４に基づいて説明する。
図１、図２に示すように、金型支持台車１とその基台構造２からなる機械装置が設けられている。基台構造２は、左右１対のレール部材３を複数の連結部材で連結し、上面に鋼板製のチェッカープレート４を取り付けたものであり、この基台構造２の各レール部材３は、例えば４組のレベル調整装置１０によりアンカープレート１１に固定される。このアンカープレート１１は、基礎コンクリートの上面に配設されており、複数のアンカーボルト１１ａにより基礎コンクリートにアンカーリングされている。
【００２２】
金型支持台車１は、前部の１対の支持輪７ (１対のレール部材３上を転動する) と後部の１対の支持輪７ (１対のレール部材３上を転動する)とを有する。金型支持台車１の上端部には、２面の金型載置面５ａ，５ｂが設けられ、各金型載置面５ａ，５ｂは複数の遊転ローラ６で構成されている。この金型支持台車１は、射出成形機に搬入する使用予定金型と、射出成形機で使用済みの使用済み金型とを載置可能になっている。
【００２３】
次に、機械装置のレベル調整装置１０について、図３、図４に基づいて説明する。
この機械装置のレベル調整装置１０は、アンカープレート１１に基台構造２を据え付ける際に基台構造２のレベルを調整して固定するレベル調整装置である。このレベル調整装置１０は、鉛直のレベル調整ボルト１２と、固定機構１３と、基台構造２のレール部材３に溶接にて固定された連結金具１４と、ナット部材１５と、ロックナット１６とを備えている。
【００２４】
レベル調整ボルト１２は、耐久性に優れた構造用鋼や高張力鋼等の特殊鋼製のもので、その全長に亙ってネジ山とネジ溝が形成され、且つアンカープレート１１上に鉛直姿勢に配設されている。前記固定機構１３は、レベル調整ボルト１２の下端部をアンカープレート１１に回転不能に固定するものである。
【００２５】
前記連結金具１４は、レベル調整ボルト１２が挿通する挿通孔１４ｂ（バカ穴）が形成された水平壁部１４ａを有する。連結金具１４は基台構造２のレール部材３の側面に溶接されている。水平壁部１４ａにボルト孔ではなく挿通孔１４ｂを形成すればよいため、製作面で有利である。
【００２６】
前記ナット部材１５は、水平壁部１４ａの下側においてレベル調整ボルト１２に螺合されて水平壁部１４ａを下方から支持している。前記ロックナット１６は、水平壁部１４ａの上側においてレベル調整ボルト１２に螺合されて水平壁部１４ａに対してレベル調整ボルト１２を上面側からロックする。
【００２７】
前記固定機構１３は、アンカープレート１１の上面に溶接にて固定され且つレベル調整ボルト１２の下端部が螺合されたネジ穴２１を有する受座部材２０と、この受座部材２０  とレベル調整ボルト１２の下端部に嵌入された水平なピン部材２２と、受座部材２０の上側においてレベル調整ボルト１２の下端側部分に螺合されてレベル調整ボルト１２を受座部材２０にロックするロックナット２３とを有する。
上記の固定機構１３により、レベル調整ボルト１２の下端部をアンカープレート１１に強固に固着することができ、このレベル調整装置１０を介して機械装置（レール部材３）をアンカープレート１１に強固に連結固着することができる。
【００２８】
前記の受座部材２０は、レベル調整ボルト用標準的六角ナットよりも大形の六角ナット部材で構成され、外周の６辺のうちの対向する２辺又は４辺がアンカープレート１１に溶接にて固定される。
前記水平なピン部材２２は、受座部材２０に対してレベル調整ボルト１２がその軸心回りに回動しないように拘束するものである。尚、受座部材２０は溶接性の高い圧延材（ＳＳ４００等）で製作されるものである。
【００２９】
以上説明した機械装置のレベル調整装置１０の作用効果について説明する。
レベル調整装置１０のレベル調整ボルト１２の下端部は、固定機構１３によりアンカープレート１１に回転不能に固定されている。
このレベル調整装置１０によって基台構造２（機械装置）のレベルを調整する場合、ロックナット１６を緩めた状態にしてナット部材１５を時計回り又は反時計回りに回動させることにより基台構造２のレベルを調整し、その後ロックナット１６を締結する。
【００３０】
連結金具１４には、レベル調整ボルト１２を螺合させるネジ孔ではなく、レベル調整ボルト１２を挿通させる挿通孔１４ｂを形成すればよいため、連結金具１４の製作費を低減できるうえ、レベル調整装置１０の組み付けも簡単に行うことができる。
【００３１】
そして、レベル調整ボルト１２の下端部をアンカープレート１１に回動不能に強固に連結固着する固定機構１３を設けたため、受座部材２０をアンカープレート１１に溶接するだけで、レベル調整ボルト１２に溶接を施す必要がなく、レベル調整ボルト１２の下端部をアンカープレート１１に強固に固定することができる。
【００３２】
それ故、レベル調整ボルト１２をクロム・モリブデン鋼等の溶接に適さない特殊鋼で製作する場合でも、圧延材製の受座部材２０をアンカープレート１１に溶接することで、
固定機構１３とレベル調整ボルト１２を介してレール部材３をアンカープレート１１に強固に連結固着することができる。こうして、レベル調整ボルト１２の強度確保と受座部材２０の溶接性を両立させることができた。
【００３３】
また、受座部材２０をレベル調整ボルト用標準的六角ナットよりも大形の六角ナット部材で構成するため、レベル調整ボルト１２を回動操作する際に小さな操作力で操作可能になる。
【実施例２】
【００３４】
実施例２の機械装置のレベル調整装置１０Ａについて図５に基づいて説明するが、実施例１と同じ部材に同じ符号を付して説明を省略し、異なる部材について説明する。
連結金具１４Ａは、レール部材３に溶接にて接合された水平壁部１４ｃを有する水平板材で構成され、レベル調整ボルト１２Ａは、連結金具１４Ａに形成した鉛直のボルト孔１４ｅに螺合されて上方に突出し、連結金具１４Ａの上面側においてレベル調整ボルト１２Ａにロックナット１６Ａが螺合されている。
【００３５】
レール部材３のレベルを調整して固定する場合、ロックナット１６Ａを緩めた状態で、固定機構１３の受座部材２０を工具により時計回り又は反時計回りに回動させてレベルを調整し、そのレベル調整後にロックナット１６Ａを締結し、且つ受座部材２０をアンカープレート１１に溶接にて接合する。
このレベル調整装置１０Ａにおいても、レベル調整ボルト１２Ａの下端部をアンカープレート１１に回動不能に強固に固定する固定機構１３を設けたため、受座部材２０をアンカープレート１１に溶接するだけで、レベル調整ボルト１２Ａに溶接を施す必要がなく、レベル調整ボルト１２Ａの下端部をアンカープレート１１に強固に固定することができる。
【実施例３】
【００３６】
実施例３の機械装置のレベル調整装置３０について図６基づいて説明する。
このレベル調整装置３０は、レール部材３をアンカープレート３１に対してレベル調整して固定するものである。
【００３７】
このレベル調整装置３０は、アンカープレート３１上に鉛直姿勢に配設されたレベル調整ボルト３２と、レベル調整ボルト３２の下端部をアンカープレート３１に回転不能に固着する固定機構３３と、レベル調整ボルト３２を下方から螺合した鉛直の袋状ボルト穴３４ａが形成され且つレール部材３に溶接にて固定された連結金具３４と、レベル調整ボルト３２に螺合されて連結金具３４に対してレベル調整ボルト３２を下面側からロックするロックナット３５とを備えている。尚、連結金具３４はレール部材３の一部で構成され、
レール部材３が連結金具３４を兼用している。また、金型支持台車の支持輪７は、レール部材３の上端を図６の紙面直交方向へ転動するようになっている。また、レベル調整ボルト３２は前記レベル調整ボルト１２と同様のものである。
【００３８】
レール部材３は厚板状の鉛直断面が鉛直方向に細長い矩形状の部材であり、連結金具３４の下半部には鉛直の袋状ボルト穴３４ａが形成され、袋状ボルト穴３４ａにはレベル調整ボルト３２が螺合されている。
前記固定機構３３は、前記レベル調整装置１０の固定機構１３と同様のものであるから簡単に説明する。固定機構３３は、レベル調整ボルト３２の下端部が螺合されたネジ穴３６を有する受座部材３７と、水平なピン部材３８と、ロックナット３９とを有する。受座部材３７はレベル調整後にアンカープレート３１に溶接される。
【００３９】
このレベル調整装置３０によりレール部材３のレベルを調整して固定する場合、ロックナット３５を緩めた状態で、受座部材３１を時計回り方向又は反時計回り方向へ回動させてレベル調整ボルト３２を回動させて、レール部材３の高さを調整し、次にロックナット３５を上限位置まで締結し、最後に受座部材３７をアンカープレート３１に溶接する。このレベル調整装置３０によれば、レベル調整ボルト３２が袋状ボルト穴３４ａに螺合されて外部に露出していないため、レベル調整ボルト３２の損傷の虞がない。また、連結金型３４がレール部材３の外面外ふへ突出しないためコンパクトなレベル調整装置３０となる。
尚、固定機構３３の作用、効果については実施例１と同様である。
【００４０】
次に、前記実施形態を部分的に変更する例について説明する。
１）前記実施例３の連結金具３４をレール部材３とは別体の部材で構成し、その連結金具３４をレール部材３に溶接して固定してもよい。
【００４１】
２）前記実施例は、金具支持台車１と基台構造２とからなる機械装置のレベルを調整するレベル調整装置を例にして説明したが、機械装置は上記のものに限るものではなく、種々の機械装置のレベルを調整するレベルを調整装置に本考案を適用することができる。
３）その他、本発明の趣旨を逸脱しない範囲で前記実施例に種々の変更を付加した形態で実施可能であり、本発明はそのような変更形態をも包含するものである。
【符号の説明】
【００４２】
１      金具支持台車
２      基台構造
３      レール部材
１０，１０Ａ，３０    機械装置のレベル調整装置
１１    アンカープレート
１２，１２Ａ    レベル調整ボルト
１３    固定機構
１４，１４Ａ    連結金具
１４ａ  水平壁部
１５    ナット部材
１６，１６Ａ    ロックナット
２０    受座部材
２１    ネジ穴
２２    ピン部材
２３    ロックナット
３１    アンカープレート
３２    レベル調整ボルト
３３    固定機構
３４    連結金具
３４ａ  袋状ボルト穴
３５    ロックナット
３６    ネジ穴
３７    受座部材
３８    ピン部材
３９    ロックナット
【図１】
0003217468.tif 000003
【図２】
0003217468.tif 000004
【図３】
0003217468.tif 000005
【図４】
0003217468.tif 000006
【図５】
0003217468.tif 000007
【図６】
0003217468.tif 000008
【図７】
0003217468.tif 000009
【図８】
0003217468.tif 000010
【図９】
0003217468.tif 000011
【図１０】
0003217468.tif 000012